(57)【要約】【課題】両面印刷用記録媒体に印刷する際、欠陥による画像品質の低下を効率的に回避し、更に、ロール状の長尺の両面印刷用記録媒体を用いた場合に、欠陥による画像品質の低下をより効率的に回避可能なインクジェット画像形成方法を提供することである。また、その画像形成方法に用いることができる記録媒体を提供することである。【解決手段】支持体の両面上にそれぞれ少なくとも１層のインク受容層が設けられた記録媒体であって、前記記録媒体に存在する各欠陥の情報が、各欠陥が存在する位置の前記記録媒体の幅方向の位置で、かつ前記記録媒体の両面に記録されていることを特徴とする記録媒体。その記録媒体に印刷するインクジェット画像形成方法。【選択図】図１
2011056706.tif 000002
【特許請求の範囲】
【請求項１】
支持体の両面上にそれぞれ少なくとも１層のインク受容層が設けられた記録媒体であって、前記記録媒体に存在する各欠陥の情報が、各欠陥が存在する位置の前記記録媒体の幅方向の位置で、かつ前記記録媒体の両面に記録されていることを特徴とする記録媒体。
【請求項２】
前記各欠陥の情報が、前記記録媒体の印刷領域外に記録されている請求項１に記載の記録媒体。
【請求項３】
前記記録媒体が長尺状であり、巻き芯の外周にロール状に巻回されている請求項１または２に記載の記録媒体。
【請求項４】
請求項１〜３のいずれか１項に記載された記録媒体に印刷するインクジェット画像形成方法であって、前記各欠陥の情報が記録された位置の前記記録媒体の幅方向の位置を避けて印刷を行うことを特徴とする、インクジェット画像形成方法。
【発明の詳細な説明】
【技術分野】
【０００１】
本発明は、記録媒体およびインクジェット画像形成方法に関する。
【背景技術】
【０００２】
両面印字に適したロール紙等の記録媒体の印刷面に求められる品質特性の一つとして、印刷面の欠陥発生の抑制が挙げられる。ここでいう欠陥とは、印刷前の記録媒体に存在する不純物、ピンホール、極端な厚みのムラ、記録媒体の製造中に付着した異物、特にインクジェット用記録媒体においては、インク受容層の塗工欠陥等を意味する。これらの欠陥に対しては、欠陥を低減させる方法等が種々提案されているが、欠陥を完全に除去することは困難である。また、両面に印刷が可能な記録媒体の場合、片方の印刷面に欠陥が無い場合でも、もう一方の面に欠陥が存在する場合には印刷後の画像の品質に不具合を生じる場合がある。特にロール状の記録媒体では、一方の面に先に印刷する際に、もう一方の面の欠陥の情報を得ることは難しく、印刷後に欠陥の存在が明らかになるなど記録媒体に無駄が生じる場合があった。
【０００３】
従来、欠陥を有する面の反対の位置にその欠陥の位置を示すマークが示されているシート状物質がある（特許文献１参照）。
【先行技術文献】
【特許文献】
【０００４】
【特許文献１】特開２００２−３３８１１１号公報
【発明の概要】
【発明が解決しようとする課題】
【０００５】
しかしながら、特許文献１の方法では、欠陥の位置を示すマークは片面側にしか設けられておらず、もう一方の面を印刷する際にその欠陥の情報を得ることが困難な場合があった。
【０００６】
本発明の目的は、両面印刷用記録媒体に印刷する際、欠陥による画像品質の低下を効率的に回避し、更に、ロール状の長尺の両面印刷用記録媒体を用いた場合に欠陥による画像品質の低下をより効率的に回避可能なインクジェット画像形成方法を提供することである。また、本発明の目的は、その画像形成方法に用いることができる記録媒体を提供することである。
【課題を解決するための手段】
【０００７】
すなわち、上記の課題は下記の本発明によって達成される。本発明により、支持体の両面上にそれぞれ少なくとも１層のインク受容層が設けられた記録媒体であって、前記記録媒体に存在する各欠陥の情報が、各欠陥が存在する位置の前記記録媒体の幅方向の位置で、かつ前記記録媒体の両面に記録されていることを特徴とする記録媒体が提供される。また、本発明により、前記記録媒体に印刷するインクジェット画像形成方法であって、前記各欠陥の情報が記録された位置の前記記録媒体の幅方向の位置を避けて印刷を行うことを特徴とするインクジェット画像形成方法が提供される。
【発明の効果】
【０００８】
本発明により、両面印刷用記録媒体に印刷する際、欠陥による画像品質の低下を効率的に回避し、更に、ロール状の長尺の両面印刷用記録媒体を用いた場合に欠陥による画像品質の低下をより効率的に回避可能なインクジェット画像形成方法が提供される。また、本発明により、その画像形成方法に用いることができる記録媒体が提供される。
【図面の簡単な説明】
【０００９】
【図１】本発明の記録媒体の一例を示す模式図であり、（ａ）は一方の面（Ａ面）から見た場合の平面図、（ｂ）はもう一方の面（Ｂ面）から見た場合の平面図である。
【図２】本発明の記録媒体の別の例を示す模式図であり、（ａ）は一方の面（Ａ面）から見た場合の平面図、（ｂ）は、もう一方の面（Ｂ面）から見た場合の平面図である。
【図３】（ａ）〜（ｃ）はそれぞれ本発明において、欠陥の検出から欠陥の情報を記録するまでの工程の例を説明するための図である。
【図４】本発明の記録媒体の両面印刷物の例を示す模式図であり、（ａ）は一方の面（Ａ面）から見た場合の平面図、（ｂ）はもう一方の面（Ｂ面）から見た場合の平面図である。
【図５】本発明の記録媒体の両面印刷物の別の例を示す模式図であり、（ａ）は一方の面（Ａ面）から見た場合の平面図、（ｂ）はもう一方の面（Ｂ面）から見た場合の平面図である。
【発明を実施するための形態】
【００１０】
（記録媒体）
本発明の記録媒体は、支持体と、支持体の両面上にそれぞれ少なくとも１層のインク受容層とを含む。本発明の記録媒体が有する支持体、インク受容層およびその製造方法等は、特開２００６−２８９８６４号公報等に記載されているような公知のものを用いればよい。また、前記記録媒体は、前記支持体およびインク受容層の他に光沢発現層としての最表層や、インク吸収層としての下塗り層を含むことができる。インク受容層は必ずしも支持体の表面に接している必要はなく、インク受容層と支持体とインク受容層との間に他の層があっても良い。また、インク受容層より表面側（支持体と反対側）に他の層があっても良い。
さらに、前記記録媒体は、その記録媒体に存在する各欠陥の情報が、前記記録媒体の両面、すなわち一方の面だけでなく、もう一方の面にまで記録されている。なお、欠陥の情報とは、印刷前の記録媒体のインク受容層、支持体およびその他の層中に存在する不純物、記録媒体の製造中に付着した異物、インク受容層のピンホール、極端な厚みのムラ等、視認が可能な欠陥が存在していることを示す印を意味する。面とは、記録媒体のうちの、例えばインクジェット記録方式等によって印刷が施される部位を意味する。  
【００１１】
本発明の記録媒体を以下のようにして用いることができる。両面（一方の面をＡ面、もう一方の面をＢ面とする）印刷可能な本発明の記録媒体は、一方の面（Ａ面）に、記録媒体に存在する欠陥の情報が記録されている。このため、前記Ａ面に印刷する際に、例えば印刷装置に前記記録媒体に記録された欠陥情報を読み取る装置を備えさせることで、記録媒体にある欠陥の位置を避けて印刷することが可能となる。また、前記Ｂ面にも記録媒体に存在する欠陥の情報が記録されているため、Ｂ面への印刷の際にもＡ面の時と同様な方法で欠陥の位置を避けて印刷をすることが可能となる。結果的に両面に欠陥の無い高品位な画像を得ることが可能となる。
例えば、記録媒体の両面に欠陥が存在する場合は、両面印刷可能な本発明の記録媒体は、先に印刷する面（Ａ面）に、もう一方の面（Ｂ面）の欠陥の情報が記録されている。このため、前記Ａ面に印刷する際に、例えば印刷装置に前記記録媒体に記録された欠陥情報を読み取る装置を備えさせることで、Ｂ面にある欠陥の位置を避けて印刷することが可能となる。また、前記Ｂ面にも前記Ｂ面に存在する欠陥の情報が記録されているため、Ｂ面への印刷の際にもＡ面の時と同様な方法で欠陥の位置を避けて印刷をすることが可能となる。結果的に両面に欠陥の無い高品位な画像を得ることが可能となる。
【００１２】
更には、両面印刷可能な記録媒体のうちの一方の面（Ｂ面）に、もう一方の面（Ａ面）の欠陥の情報が記録されている。このため、前記Ｂ面に印刷する際に、例えば印刷装置に記録媒体に記録された欠陥情報を読み取る装置を備えさせることで、Ａ面に存在する欠陥の位置を避けて印刷することが可能となる。また、前記Ａ面にはさらに前記Ａ面に存在する欠陥の情報が記録されているために、前記Ａ面に印刷をする際に、同様な方法で前記Ａ面に存在する欠陥の位置を避けて印刷することが可能となる。前記Ｂ面には、前記Ｂ面に存在する欠陥の情報と共に、前記Ａ面に存在する欠陥の情報も記録されており、一方前記Ａ面も両面の欠陥情報が記録されているため、各面とも両面に存在する欠陥を避けて印刷することが可能となる。
【００１３】
（欠陥情報記録方法）
本発明では、支持体の両面上にそれぞれ少なくとも１層のインク受容層が設けられた記録媒体を用いる。印刷時の操業性の観点から、記録媒体が長尺状であることが好ましい。図１（ａ）および（ｂ）は、本発明の記録媒体である欠陥個所が表示されたシート（記録媒体）の一例を示す図であり、図面の上下方向が記録媒体の幅方向を表し、図面の左右方向が記録媒体の長さ方向を表す。図１（ａ）および（ｂ）に例示した記録媒体は、図面中、先に印刷する面（Ａ面）を示す面２ではなく、もう一方の面（Ｂ面）を示す面３のみに欠陥５が存在しており、前記Ａ面、および前記Ｂ面の両面に前記欠陥５の情報を示すマーク４が付けられている。なお、図１（ａ）はこの記録媒体をＡ面から見た場合の平面図を表し、図１（ｂ）はこの記録媒体をＢ面から見た場合の平面図を表す。マーク４は矢印、文字、数字、模様、図形、彩紋、等の各種マーキングなどを用いることができるが、特に限定されるものではない。
本発明の記録媒体に印刷する場合、印刷に用いるインクジェットプリンタには、本発明の記録媒体に記録されている欠陥情報を読み取るセンサー、及びそのセンサーからの情報を得て記録を行う記録駆動装置を備えたものを適宜用いることができる。これらの装置（システム）に関しては、一般的に周知の装置を用いることができ、特に限定されるものではない。
【００１４】
図２（ａ）および（ｂ）は、本発明の記録媒体である欠陥個所が表示されたシートの別の例を示す図であり、図面の上下方向が記録媒体の幅方向を表し、図面の左右方向が記録媒体の長さ方向を表す。図２（ａ）および（ｂ）に例示した記録媒体は、図面中、先に印刷する面（Ａ面）を示す面２と、もう一方の面（Ｂ面）を示す面３にそれぞれ欠陥５が存在しており、前記Ａ面、及び前記Ｂ面の各面に両面の欠陥５の情報を示すマーク４が付けられている。なお、図２（ａ）はこの記録媒体をＡ面から見た場合の平面図を表し、図２（ｂ）はこの記録媒体をＢ面から見た場合の平面図を表す。
【００１５】
本発明の記録媒体が有する可能性がある欠陥５としては、印刷前の記録媒体に存在する不純物、ピンホール、極端な厚みのムラ、記録媒体の製造中に付着した異物、特にインクジェット用記録媒体においては、インク受容層の塗工欠陥等が挙げられる。なお、前記塗工欠陥とはインク受容層形成時に、インク受容層用材料を支持体上に塗工する時に発生するはじきによるピンホールや、塗工ムラによる厚みのムラ、インク受容層の擦れによる光沢異常や傷等が挙げられる。一般的に、この種の欠陥は種類が多いが、視覚的には欠点と見えても、実用上の支障がないものもあり、通常、用途に即して、問題とすべき欠陥の種類を予め定めておく。また、欠陥の程度についても実用上、無視し得る軽微なものがある。通常、実用的な見地からあるいは経済的な見地から欠陥として認定するものの限度を定め、例えば、一定寸法以上の異物を欠陥とみなす旨を決め、限度未満の欠陥は、数え上げないようにしており、本発明においても、同様にしてよい。
【００１６】
記録媒体の欠陥の検出に始まって、記録媒体に欠陥の情報を記録するまでの段階は、図３（ａ）に示す例のようにして行うことができる。図３（ａ）において、記録媒体１は図面中、向かって左側から向かって右側にバックアップロール１０により連続的に走行しており、記録媒体１の一方の面側、例えば上方に設置されたラインセンサ７により欠陥５を検知する。この欠陥の検知システムに関しては、一般的に周知の記録媒体の欠陥検出手段を用いることができ、特に限定されるものではない。検出された欠陥の存在、および位置の情報を受けた記録駆動手段が信号を発信し、記録媒体の両面側、例えば上下にそれぞれ設置された記録装置８を用いて、記録媒体１の両面にそれぞれ各欠陥の情報を記録する。その記録方式は特に限定されるものではなく、水性ペンや油性ペンでマークを付ける等の方法が挙げられるが、インクジェット記録媒体へ記録を行う際は、インクジェット記録方式が好ましい。インクジェット記録方式で記録を行う際には、インクの吐出方向の観点から、図３（ｂ）に示すように、記録媒体１の上方から、記録装置８を用いて記録媒体の両面に各欠陥の情報を記録することが好ましい。すなわち、２台の記録装置８のうちの１台を用いて、一方の面に各欠陥の情報を記録した後、その記録媒体を巻き上げ、もう一台の記録装置８を用いて、もう一方の面に各欠陥の情報を記録することが好ましい。なお、図３（ａ）および（ｂ）に示す装置を用いた場合、もう一方の面に対しても同様の操作を行い、ラインセンサにより欠陥を検知し、両面にそれぞれ各欠陥の情報を記録する。
【００１７】
記録媒体１の両面側からラインセンサ７を用いて欠陥５を検知する場合は、図３（ｃ）に示す装置を用いることができる。すなわち、ラインセンサ７を記録媒体１の両面側、例えば上下に配置し、その欠陥の情報を各センサーから記録媒体の両面側、例えば上下に配置された記録駆動装置８へそれぞれ発信し、記録媒体１の両面にそれぞれ各欠陥の情報を記録する。
【００１８】
欠陥情報を示すマーク４を記録する場所は、欠陥５の情報を示すため、図１（ａ）および（ｂ）に記載されている通り欠陥５が存在する位置の記録媒体の幅方向の位置１１であれば特に限定はされない。欠陥が存在する位置の記録媒体の幅方向の位置とは、記録媒体の面において、存在する欠陥を通り、かつ記録媒体の幅方向に対して平行な全ての直線上の位置を意味する。しかし、印刷後の品位を考慮した場合には、欠陥５が存在する位置の記録媒体の幅方向の位置のうちの記録媒体１の印刷領域外６の位置に記録されることが好ましい。印刷領域外とは、インクジェット画像を形成する際に、画像を形成する範囲以外の部位のことを意味する。
【００１９】
（インクジェット画像形成方法）
本発明のインクジェット画像形成方法は、前記記録媒体に印刷する際に、各欠陥の情報が記録された位置の前記記録媒体の幅方向の位置を避けて印刷を行うインクジェット画像形成方法である。なお、欠陥の情報が記録された位置の記録媒体の幅方向の位置とは、記録媒体の面において、記録された欠陥の情報（例えば、マークなど）を通り、かつ記録媒体の幅方向に対して平行な全ての直線上の位置を意味する。ただし、欠陥の情報が記録された位置の記録媒体の幅方向の位置を避けて印刷する際には、その位置を含みその位置から記録媒体の長さ方向に多少の余裕を持たせた領域を避けて印刷しても良い。
このように、記録媒体に印刷する際に、各欠陥の情報が記録された位置の記録媒体の幅方向の位置を避けて印刷することで、結果として、記録媒体に存在する各欠陥を避けて印刷することが可能となる。
また、本発明のインクジェット画像形成方法は、両面印刷用記録媒体の両面に印刷する場合にも用いることができるし、片面に印刷する場合にも用いることができる。
【００２０】
以下に、一方の面のみに欠陥が存在する本発明の記録媒体から印刷物を作製するインクジェット画像形成方法の一例を説明する。
【００２１】
図４（ａ）および（ｂ）は一方の面３（Ｂ面）のみに欠陥が存在する本発明の記録媒体を、本発明のインクジェット画像形成方法を用いて両面印刷して得た印刷物を各面から見た場合の平面図を示している。図４（ａ）および（ｂ）において、図面の上下方向が記録媒体の幅方向を表し、図面の左右方向が記録媒体の長さ方向を表す。
なお、印刷に用いるインクジェットプリンタは、上述したように前記センサーおよび前記記録駆動装置を備えたものを適宜使用することができる。まず、先に印刷する面２（Ａ面）に印字する際に、もう一方の面３（Ｂ面）に存在する欠陥５の情報を示すＡ面中のマーク４の位置が、インクジェットプリンタの欠陥情報を読み取るセンサーによって予め読み取られる。そのセンサーからの情報により、Ａ面中のマーク４（欠陥の情報が記録された位置）の記録媒体の幅方向の位置を含みその位置から長さ方向に余裕を持たせた領域（印刷されない領域１２）に対しては印刷されずそれ以外の領域（印刷される領域９）には印刷される。次にＢ面を印刷する際には、Ｂ面に存在する欠陥５の情報を示すＢ面中のマーク４を予めセンサーによって読み取られる。そして、そのセンサーからの情報により、Ｂ面中のマーク４の幅方向の位置を含みその位置から記録媒体の長さ方向に余裕を持たせた領域（印刷されない領域１２）には印刷されず、それ以外の領域（印刷される領域９）には印刷される。このような操作を経ることで、図４（ａ）および（ｂ）に示す印刷物を得ることができる。このような印刷方式を取ることで、両面印刷の際に片面の印刷をした後に、もう一方の面の欠陥に気付き、印刷行為、記録媒体、及びインクを無駄にすることを防ぐことが可能となる。
【００２２】
以下に、両面に欠陥が存在する本発明の記録媒体から印刷物を作製するインクジェット画像形成方法の一例を説明する。
【００２３】
図５（ａ）および（ｂ）は両面に欠陥が存在する本発明の記録媒体を本発明のインクジェット画像形成方法を用いて両面印刷して得た印刷物を各面から見た場合の平面図を示している。図５（ａ）および（ｂ）において、図面の上下方向が記録媒体の幅方向を表し、図面の左右方向が記録媒体の長さ方向を表す。なお、印刷に用いるインクジェットプリンタは、上述のものを適宜使用することができる。先に印刷する面２（Ａ面）に印字する際に、Ａ面に存在する欠陥５の情報を示すＡ面中のマーク４の位置、およびＢ面３に存在する欠陥５の情報を示すＡ面中のマーク４の位置が、インクジェットプリンタの欠陥情報を読み取るセンサーによって予め読み取られる。そして、そのセンサーからの情報により、Ａ面中のマーク４の幅方向の位置を含みその位置から記録媒体の長さ方向に余裕を持たせた領域（印刷されない領域１２）に対しては印刷されず、それ以外の領域（印刷される領域９）には印刷される。次にＢ面を印刷する際には、Ｂ面に存在する欠陥５の情報を示すＢ面中のマーク４、Ａ面に存在する欠陥の情報を示すＢ面中のマーク４が予めセンサーによって読み取られる。そして、そのセンサーからの情報により、記録媒体のＢ面中のマーク４の幅方向の位置を含みその位置から記録媒体の長さ方向に余裕を持たせた領域（印刷されない領域１２）には印刷されず、それ以外の領域（印刷される領域９）には印刷される。このような操作を経ることで、図５（ａ）および（ｂ）に示す印刷物を得ることができる。このようなインクジェット画像形成方法によれば、両面印刷の際に印刷行為、記録媒体、及びインクを無駄にすることを防ぐことが可能となる。
【００２４】
（巻き芯、及び巻き取り方法）
本発明のインクジェット用記録媒体は、印刷時の操業性の観点から、長尺状で巻き芯の外周にロール状に巻回されたものを用いることが好ましい。
【００２５】
記録媒体を巻き芯の外周に巻き上げロール状にする場合、巻き芯は特に限定されるものではなく、例えば、硬質紙管原紙を巻回し円筒状に加工した後、所望の長さに切断した紙管が挙げられる。紙管としては、必要に応じて表面を研磨仕上げ、あるいはウレタン樹脂、不飽和ポリエステル樹脂、アルキッド樹脂棟で吹き付け塗装後研磨仕上げしたものを用いると良い。紙管原紙の巻回・成形方法は特に限定されるものではなく、原紙を所望の大きさに切断後、樹脂等を含浸させて数回平巻きにし、熱プレス等の方法により表面を硬化させる方法を用いることができる。また、断面を台形状、平行四辺形状に加工した帯状の紙管原紙に樹脂等を含浸させた後、切断加工面を重ね合わせながら螺旋状に巻き上げ、熱プレス等の表面を硬化させる方法等も用いることができる。
【００２６】
本発明において、記録媒体を巻き取る巻き取り機の方式は、特に限定されるものではないが、ゴムロール等のタッチロールを記録媒体に押しあてながら巻き取りドラムを駆動させる方式が、蛇行等を防止する観点から好ましい。
【００２７】
本発明において、巻き取り時の張力は特に限定されるものではないが、２ｋｇ／ｍ以上、２０ｋｇ／ｍ未満であることが好ましい。２ｋｇ／ｍ以上の場合には、インクジェット用ロール紙の運搬中に巻ズレ等が発生することを優れて防ぐことができる。２０ｋｇ／ｍ未満の場合には、記録媒体のインク受容層が変形することを優れて防ぎ、印刷特性の低下を引き起こすことを優れて防ぐことができる。また、巻き取り時の張力は、巻き芯に近い内周部から外周部にかけて均一でも良いが、徐々に強くすることも巻ズレ防止とインク受容層の変形防止とを両立するのに有効である。
【実施例】
【００２８】
以下、実施例を挙げて本発明を具体的に説明する。但し、本発明の内容は実施例によって限定されるものではない。
【００２９】
（記録媒体の製造方法）
（基材（支持体）の作製例）
軽質炭酸カルシウム２０質量部を、広葉樹晒クラフトパルプ１００質量部からなるスラリー中に添加した。続いてそれにカチオン澱粉２質量部、無水アルケニルコハク酸系中性サイズ剤０．３質量部を添加し、十分に混合して抄紙原料とした。長網多筒式抄紙機を用いてその抄紙原料の水分を１０質量％まで乾燥させ、サイズプレスで酸化澱粉の７質量％溶液を両面にそれぞれ４ｇ／ｍ2塗布、乾燥し、水分７質量％まで乾燥させて坪量１４０ｇ／ｍ2の基紙を作製した。その基紙の表裏両方の面に低密度ポリエチレン７０質量部と低密度ポリエチレン２０質量部とからなる、樹脂組成物をそれぞれ３０ｇ／ｍ2塗工し、坪量２００ｇ／ｍ2、長尺の基材Ａを作製した。
【００３０】
（インク受容層用塗工液の作製例）
イオン交換水３１４．７質量部中に、無水酢酸２．０質量部を添加し、十分攪拌したのち、無機微粒子としてアルミナ水和物（商品名：Ｄｉｓｐｅｒａｌ  ＨＰ１４：ＳＡＳＯＬ製）を１００質量部添加し、十分攪拌し、コロイダルゾルを得た。得られたコロイダルゾル中のアルミナ水和物が２２質量％となるように、イオン交換水で希釈してコロイダルゾルＡを得た。
【００３１】
一方、ポリビニルアルコール（商品名：ＰＶＡ２３５クラレ（株）製、重合度：３５００、ケン化度：８８モル％）をイオン交換水中に溶解させて、固形分濃度８．０質量％のポリビニルアルコール（ＰＶＡ）水溶液を得た。そして、上記で調製したコロイダルゾルＡに前記作製したＰＶＡ溶液を、アルミナ水和物の固形分に対して、ＰＶＡ固形分換算（（ＰＶＡ）／（アルミナ水和物）×１００）が９質量％となるように混合した。次に、３．０質量％ホウ酸水溶液を、アルミナ水和物の固形分に対してホウ酸固形分換算で１．７質量％となるように混合して、インク受容層用の塗工液を得た。
【００３２】
（記録媒体の作製例）
上記長尺の基材Ａの一方の面に、上記インク受容層用の塗工液を乾燥後の塗工量が３０ｇ／ｍ2となるように塗布した。なお、塗工液の塗工は、スライドダイを用いて４０℃で行った。次に、これを６０℃で乾燥して、次いで、インク受容層の設けていない面に、上記インク受容層の塗工液を乾燥後の塗工量が３０ｇ／ｍ2となるようにスライドダイを用いて塗布し、６０℃で乾燥してロール状に巻き取り記録媒体１を作製した。
【００３３】
＜実施例１＞
記録媒体１を幅２２０ｍｍ、長さ１００ｍに断裁しながら、図３（ｂ）に示した装置で、前記記録媒体の先に印字する面（Ａ面）ではない、もう一方の面（Ｂ面）の欠陥を検知した。この欠陥は直径２ｍｍの円状のピンホールであった。なおこの記録媒体には、これ以外の欠陥は存在しなかった。図１（ａ）および（ｂ）に示したように、前記記録媒体の両面に、Ｂ面に存在する欠陥の情報を、欠陥の幅方向の位置１１のうちの印刷領域外６に、記録媒体の進行方向に対して右側に幅１０ｍｍ、長さ１０ｍｍのマークとして記録しながら巻き上げた。
上記の欠陥の情報を記録した記録媒体を、欠陥の情報が存在する位置を含めて幅２２０ｍｍ、長さ２９７ｍｍに断裁した。続いて、まず、欠陥の存在しない先に印刷する面（Ａ面）を、前記マークを読み取るセンサーを備えたインクジェットプリンタを用いて画像を印刷した。その結果、Ａ面中のもう一方の面の欠陥の情報を記録した部分（Ａ面中のマークの幅方向の位置：幅２２０ｍｍ、長さ１０ｍｍ）には印刷されなかった。その後、欠陥の存在する面（Ｂ面）を印字すると、図４（ａ）および（ｂ）に示した通り、Ｂ面中の欠陥の情報を記録した部分（Ｂ面中のマークの幅方向の位置：幅２２０ｍｍ、長さ１０ｍｍ）には印刷されなかった。このように両面の印刷を通して、欠陥の存在する部分には印刷されなかった。
【００３４】
＜実施例２＞
記録媒体１を幅２２０ｍｍ、長さ１００ｍに断裁しながら、図３（ｃ）に示した装置で、前記記録媒体の両面の欠陥を検知した。続いて、図２（ａ）および（ｂ）に示したように両面に存在する各欠陥の情報を、各欠陥の幅方向の位置１１のうちの印刷領域外６に、記録媒体の進行方向に対して右側に幅１０ｍｍ、長さ１０ｍｍのマークとして両面に記録しながら巻き上げた。上記各欠陥の情報を記録した記録媒体を、欠陥情報が存在する位置を含めて幅２２０ｍｍ、長さ２９７ｍｍに断裁した。続いて、まず、片面を、前記マークを読み取るセンサーを備えたインクジェットプリンタを用いて画像を印刷したところ、欠陥の情報を記録した部分（各マークの幅方向の位置：幅２２０ｍｍ、長さ１０ｍｍ）には印刷されなかった。その後、他方の面を印刷すると、欠陥の情報を記録した部分には印刷されず、両面の印刷を通して、図５（ａ）および（ｂ）に示した通り、欠陥の存在する部分には印刷されなかった。
【００３５】
＜比較例１＞
記録媒体１を幅２２０ｍｍ、長さ１００ｍに断裁しながら、欠陥の情報を記録せずに巻き上げた。上記欠陥の情報が記録されていない記録媒体のうち、欠陥が存在する部分を含めて、幅２２０ｍｍ、長さ２９７ｍｍに断裁し、両面に印刷した。この結果、欠陥が存在する部分にも印刷された。
【００３６】
上記の結果より、記録媒体に存在する各欠陥の情報を両面に記録した記録媒体を用いることで、両面印刷を行う際に、記録媒体の欠陥を効率的に避けることが可能であることが確認された。
【符号の説明】
【００３７】
１  記録媒体
２  Ａ面
３  Ｂ面
４  マーク
５  欠陥
６  印刷領域外
７  ラインセンサ
８  記録装置
９  印刷される領域
１０  バックアップロール
１１  欠陥が存在する位置の記録媒体の幅方向の位置
１２  印刷されない領域
【図１】
2011056706.tif 000003
【図２】
2011056706.tif 000004
【図３】
2011056706.tif 000005
【図４】
2011056706.tif 000006
【図５】
2011056706.tif 000007